(57)【要約】【課題】車椅子利用者に対するマナーの向上を図ることのできるエレベータ装置の提供。  【解決手段】エレベータの乗場に、乗場呼びを登録する車椅子利用者用乗場釦１および一般利用者用乗場釦２を備えるとともに、乗かご内に、行き先階を登録する車椅子利用者用行き先階登録釦３および一般利用者用行き先階登録釦４を備えたエレベータ装置において、同一階床にて車椅子利用者用行き先階登録釦３および一般利用者用行き先階登録釦４のそれぞれが操作されて行き先階が登録されたことを検出する検出手段、この検出手段による同時登録の検出時に、一般利用者用乗場釦２の所定操作に応じてマナーモードを設定するマナーモード設定手段、およびマナーモードの設定に応じて一般利用者用行き先階登録釦４の登録を無効とするとともに、車椅子利用者用行き先階登録釦３の登録階に乗かごを直行させ、次いで、乗かごを所定操作された一般利用者用乗場釦２の設置階床まで直行させる制御手段、例えば中央演算処理部５を備えた構成としている。【選択図】図１
2006117360.tif 000002
【特許請求の範囲】
【請求項１】
エレベータの乗場に、乗場呼びを登録する車椅子利用者用乗場釦および一般利用者用乗場釦を備えるとともに、乗かご内に、行き先階を登録する車椅子利用者用行き先階登録釦および一般利用者用行き先階登録釦を備えたエレベータ装置において、
同一階床にて前記車椅子利用者用行き先階登録釦および前記一般利用者用行き先階登録釦のそれぞれが操作され行き先階が登録されたことを検出する検出手段と、この検出手段による同時登録の検出時に、前記一般利用者用乗場釦の所定操作に応じてマナーモードを設定するマナーモード設定手段と、前記マナーモードの設定に応じて前記一般利用者用行き先階登録釦の登録を無効とするとともに、前記車椅子利用者用行き先階登録釦の登録階に前記乗かごを直行させ、次いで、前記乗かごを所定操作された前記一般利用者用乗場釦の設置階床まで直行させる制御手段とを備えたことを特徴とするエレベータ装置。
【請求項２】
前記マナーモードは、前記車椅子利用者用行き先階登録釦および前記一般利用者用行き先階登録釦の登録に応じて前記乗かごが移動開始してから所定時間以内に前記一般利用者用乗場釦が操作されたときに設定されることを特徴とする請求項１記載のエレベータ装置。
【発明の詳細な説明】
【技術分野】
【０００１】
本発明は、エレベータ装置に係り、特に、エレベータの乗場および乗かごに、車椅子利用者用の操作釦および一般利用者用の操作釦をそれぞれ備えた車椅子利用者、一般利用者兼用のエレベータ装置に関する。
【背景技術】
【０００２】
従来、エレベータの乗場に、乗場呼びを登録する車椅子利用者用乗場釦および一般利用者用乗場釦を備えるとともに、乗かご内に、行き先階を登録する車椅子利用者用行き先階登録釦および一般利用者用行き先階登録釦を備え、車椅子等を利用する車椅子利用者および一般利用者の利便性を考慮した車椅子利用者、一般利用者兼用のエレベータ装置が提案されている（例えば、特許文献１参照。）。
【特許文献１】特開平８−２６６０５号公報
【発明の開示】
【発明が解決しようとする課題】
【０００３】
しかしながら、前述した従来の車椅子利用者、一般利用者兼用のエレベータ装置にあって、車椅子を利用する車椅子利用者が乗かごに乗り込んだ際に、マナーの無い一般利用者も共に乗かごに乗り込んでしまうと、乗かご内のスペースが限られてしまい、車椅子利用者が移動中の乗かご内で車椅子の向きを反転させることができず、後ろ向きまま到着階で降りる結果となり、車椅子利用者に対し不親切、かつ危険を招くという問題があった。また、マナーの有る一般利用者がマナーの無い一般利用者に前述したような同時乗り込みを注意しマナー向上を望んでも、乗かごが移動を開始した後には不可能であった。
本発明は、前述した従来技術における実状からなされたもので、その目的は、車椅子利用者に対するマナーの向上を図ることのできるエレベータ装置を提供することにある。
【課題を解決するための手段】
【０００４】
前記目的を達成するために、本発明は、エレベータの乗場に、乗場呼びを登録する車椅子利用者用乗場釦および一般利用者用乗場釦を備えるとともに、乗かご内に、行き先階を登録する車椅子利用者用行き先階登録釦および一般利用者用行き先階登録釦を備えたエレベータ装置において、同一階床にて前記車椅子利用者用行き先階登録釦および前記一般利用者用行き先階登録釦のそれぞれが操作され行き先階が登録されたことを検出する検出手段と、この検出手段による同時登録の検出時に、前記一般利用者用乗場釦の所定操作に応じてマナーモードを設定するマナーモード設定手段と、前記マナーモードの設定に応じて前記一般利用者用行き先階登録釦の登録を無効とするとともに、前記車椅子利用者用行き先階登録釦の登録階に前記乗かごを直行させ、次いで、前記乗かごを所定操作された前記一般利用者用乗場釦の設置階床まで直行させる制御手段とを備えた構成としている。
【０００５】
このように構成した本発明は、同一階床から車椅子利用者と共にマナーの無い一般利用者が同時に乗り込み、車椅子利用者用行き先階登録釦および一般利用者用行き先階登録釦のそれぞれが操作されると、検出手段はそれぞれの行き先階登録釦が操作されたことを検出する。このときマナーのある一般利用者が前述した同時乗り込みに気付き乗場の一般利用者用乗場釦を所定操作するとマナーモード設定手段によりマナーモードが設定され、これに応じて制御手段は、前記一般利用者用行き先階登録釦の登録を無効とするとともに、前記車椅子利用者用行き先階登録釦の登録階に前記乗かごを直行させ、次いで、前記乗かごを所定操作された前記一般利用者用乗場釦の設置階床まで直行させる。これにより、マナーの無い一般利用者は自分が行った行き先階の登録が無効になったこと、或いはマナーのある一般利用者のいる階床に戻り注意を受けることにより、エレベータ利用に関するマナー向上を図るように促される。
【発明の効果】
【０００６】
本発明は、マナーモードが設定されることにより、或いは他の利用客からの注意喚起を可能とすることによりマナーの無い一般利用者に対してマナー向上を図るよう促すことができ、これによって、車椅子利用者にとって快適かつ安全なエレベータの利用環境を実現することができる。
【発明を実施するための最良の形態】
【０００７】
以下、本発明に係るエレベータ装置の実施形態を図に基づいて説明する。
【０００８】
図１は本発明のエレベータ装置の実施形態を示す概略構成図、図２は図１のエレベータ装置の処理手順を示すフローチャートである。
【０００９】
本実施形態のエレベータ装置は図１に示すように、エレベータの乗場に設置され、乗場呼びを登録する車椅子利用者用乗場釦１および一般利用者用乗場釦２と、乗かご内に設置され、行き先階を登録する車椅子利用者用行き先階登録釦３および一般利用者用行き先階登録釦４と、エレベータの運転を制御する中央演算処理部５とを備えている。
【００１０】
なお、同一階床にて車椅子利用者用行き先階登録釦３および一般利用者用行き先階登録釦４のそれぞれが操作され行き先階が登録されたことを検出する検出手段、この検出手段による同時登録の検出時に、一般利用者用乗場釦２の所定操作に応じてマナーモードを設定するマナーモード設置手段、およびマナーモードの設定に応じて一般利用者用行き先階登録釦４の登録を無効とするとともに、車椅子利用者用行き先階登録釦３の登録階に乗かごを直行させ、次いで、乗かごを所定操作された一般利用者用乗場釦２の設置階床まで直行させる制御手段のそれぞれは、例えば中央演算処理部５からなっている。また、前述したマナーモードは、車椅子利用者用行き先階登録釦３および一般利用者用行き先階登録釦４の登録に応じて乗かごが移動開始してから所定時間以内に一般利用者用乗場釦２が操作されたときに設定されるようになっている。
【００１１】
次に、マナーモードの設定と、それに応じたエレベータの動きを図２に基づき説明する。
【００１２】
例えば車椅子を利用する車椅子利用者が車椅子利用者用乗場釦１を操作して乗かごを呼びつけ、乗かごに乗り込み車椅子利用者用行き先階登録釦３を操作しているときにマナーの無い一般利用者が乗かごに乗り込み、一般利用者用行き先階登録釦４を操作すると、手順Ｓ１として中央演算処理部５は車椅子利用者用行き先階登録釦３および一般利用者用行き先階登録釦４のそれぞれが操作されたことを検出する。このときマナーのある一般利用者が前述した同時乗り込みに気付き、手順Ｓ２に示すように車椅子利用者用行き先階登録釦３および一般利用者用行き先階登録釦４の登録に応じて乗かごが移動開始してから所定時間以内に一般利用者用乗場釦２を操作すると、手順Ｓ３としてマナーモードが設定され、これに応じて中央演算処理部５は、手順Ｓ４として一般利用者用行き先階登録釦４の登録を無効とするとともに、手順Ｓ５として車椅子利用者用行き先階登録釦３の登録階に乗かごを直行させ、次いで、手順Ｓ６として乗かごを所定操作された一般利用者用乗場釦２の設置階床まで直行させる。この後、手順Ｓ７としてマナーモードを解除し、平常運転へと復帰する。
【００１３】
本実施形態によれば、車椅子利用者が既に乗り込んでいる乗かごに乗り込んだマナーの無い一般利用者は自分が行った行き先階の登録が無効になったこと、或いはマナーのある一般利用者のいる階床に戻り注意を受けることにより、エレベータ利用に関するマナー向上を図るように促される。
【図面の簡単な説明】
【００１４】
【図１】図１は本発明のエレベータ装置の実施形態を示す概略構成図である。
【図２】図１のエレベータ装置の処理手順を示すフローチャートである。
【符号の説明】
【００１５】
１    車椅子利用者用乗場釦
２    一般利用者用乗場釦
３    車椅子利用者用行き先階登録釦
４    一般利用者用行き先階登録釦
５    中央演算処理部
【図１】
2006117360.tif 000003
【図２】
2006117360.tif 000004